(57)【特許請求の範囲】
【請求項１】
巾方向に対をなして配置される側板を少なくとも具備してなる家具本体に背板を取り付けるための背板の取付構造であって、
前記家具本体及び背板のそれぞれと部材の弾性変形を利用して係り合う取付具を利用するようにし、この取付具が、前記背板が家具本体に取り付けられる所定取付位置で、前記家具本体に対する巾方向のがたつきを禁止された状態で当該家具本体と係り合う第１の係り合い手段を有し、
第１の係り合い手段が、前記家具本体に設けた第１の嵌合凹部に嵌合する第１の嵌合凸部を具備してなり、前記所定取付位置において、前記第１の嵌合凸部を構成する巾方向に対をなして位置する面部と、これら面部と対面する位置にある前記第１の嵌合凹部の面部とが、それぞれ密着するように設定しているとともに、
第１の係り合い手段が、前記家具本体に設けた第１の嵌合凹部に上下方向に係り合って前記取付具が家具本体から外れることを防止する第１の弾性爪を具備してなり、第１の弾性爪が、家具本体との係り合いを解除するための操作端を具備していることを特徴とする背板の取付構造。
【請求項２】
取付具が、前記背板に対する巾方向のがたつきを禁止された状態で当該背板と係り合う第２の係り合い手段を具備していることを特徴とする請求項１記載の背板の取付構造。
【請求項３】
前記第１の弾性爪が、前記第１の嵌合凸部を前記第１の嵌合凹部に挿入する際に前記家具本体の一部に押されて経過的に弾性変形し、取付具が家具本体に取り付けられる取付位置で元の形状に復元して前記家具本体に設けた第１の嵌合凹部に上下方向に係り合うものであることを特徴とする請求項１又は２記載の背板の取付構造。
【請求項４】
第１の嵌合凹部が、開口であることを特徴とする請求項１、２又は３記載の背板の取付構造。
【請求項５】
第２の係り合い手段が、前記背板に設けた第２の嵌合凸部に嵌合する第２の嵌合凹部を具備してなり、前記所定取付位置において、前記第２の嵌合凹部を構成する巾方向に対をなして位置する面部と、これら面部と対面する位置にある前記第２の嵌合凸部の面部とが、それぞれ密着するように設定していることを特徴とする請求項２記載の背板の取付構造。
【請求項６】
第２の係り合い手段が、前記第２の嵌合凹部の入口側に、当該嵌合凹部の開口巾寸法が入口側に向かうにつれて漸次大きくなるように設定した案内面部と、この案内面部と巾方向において対向する位置に、前記第２の嵌合凸部を第２の嵌合凹部に挿入する際に、前記嵌合凸部に押されて経過的に弾性変形し、前記所定取付位置で、背板の一部と係り合って前記取付具が背板から外れることを防止する第２の弾性爪を具備していることを特徴とする請求項５記載の背板の取付構造。
【発明の詳細な説明】
【０００１】
【発明の属する技術分野】
本発明は、保管庫等として好適に利用される箱形の家具において、背板を家具本体に取り付ける際に好適に利用される背板の取付構造に関するものである。
【０００２】
【従来の技術】
従来から、例えば、保管庫等として利用される箱形の家具を組み立てる場合には、先ず、底板、左右側板及び頂板により正面視略ロ字形状の家具本体を構成しておき、この家具本体の後方側の開口を閉止する位置に背板を、前方側の開口を閉止する位置に蝶番部材を利用して前扉を開閉可能に取り付けるようにしている。
【０００３】
従来、前記家具本体に背板を取り付ける際には、ビス等の取付具を利用して、家具本体側の左右側板の後端部側に背板を取り付けるようにしているのが一般的である。
【０００４】
【発明が解決しようとする課題】
しかしながら、このようにビス等の取付具を利用して背板を取り付ける場合には、強度を確保し易いという利点はあるものの、ドライバー等の取付工具が必要になる上、取付作業も煩雑なものとなり易いという問題点があった
一方、例えば、弾性爪等の取付具を利用する場合もある。ところが、従来のものは、ワンタッチでの取り付けが可能となって取付作業は非常に容易となるものの、強度を確保しにくいという問題があった。特に、弾性爪が、板金の折曲精度や形成精度に依存する構造をなしているため、特に、家具本体に左右のがたつきを生じやすく、左右の側板が傾斜して家具本体が正面視平行四辺形状となるように変形する恐れがある等の問題点があった。
【０００５】
【課題を解決するための手段】
上述した不具合を解消するために、本発明は、巾方向に対をなして配置される側板を少なくとも具備してなる家具本体に背板を取り付けるための背板の取付構造であって、前記家具本体及び背板のそれぞれと部材の弾性変形を利用して係り合う取付具を利用するようにし、この取付具が、前記背板が家具本体に取り付けられる所定取付位置で、前記家具本体及び背板に対する巾方向のがたつきを禁止された状態で係り合うように構成されていることを前提としている。
【０００６】
このような前提のものであると、取付具の弾性変形を利用して前記背板を側板間に取り付けるので、ドライバー等の取付工具が不要となる上、取付作業も非常に容易なものとなる。そして、この取付具を家具本体及び背板の両方に対して巾方向にがたつきを生じることを禁止した状態で取り付けているので、結果的に、家具本体と背板とが巾方向にがたつきを生じることを禁止されることになる。したがって、家具本体に所定の取付強度を確保して、特に、側板が巾方向に傾斜して家具本体が略平行四辺形状に変形することを有効に防止することが可能となる。
【０００７】
さらに、本発明は、第１の係り合い手段が、前記家具本体に設けた第１の嵌合凹部に嵌合する第１の嵌合凸部を具備してなり、前記所定取付位置において、前記第１の嵌合凸部を構成する巾方向に対をなして位置する面部と、これら面部と対面する位置にある前記第１の嵌合凹部の面部とが、それぞれ密着するように設定していることを前提としている。
【０００８】
そして本発明は、取付具が、前記背板が家具本体に取り付けられる所定取付位置で、前記家具本体に対する巾方向のがたつきを禁止された状態で当該家具本体と係り合う第１の係り合い手段を有し、第１の係り合い手段が、前記家具本体に設けた第１の嵌合凹部に上下方向に係り合って前記取付具が家具本体から外れることを防止する第１の弾性爪を具備してなり、第１の弾性爪が、家具本体との係り合いを解除するための操作端を具備していることを特徴とする。
【０００９】
この場合の好適な実施の形態としては、取付具が、前記所定取付位置で、前記家具本体に対する巾方向のがたつきを禁止された状態で当該家具本体と係り合う第１の係り合い手段と、前記背板に対する巾方向のがたつきを禁止された状態で当該背板と係り合う第２の係り合い手段とを具備しているものが挙げられる。
【００１０】
所定取付位置での安定且つ確実な取付状態を確保するには、前記第１の弾性爪が、前記第１の嵌合凸部を前記第１の嵌合凹部に挿入する際に前記家具本体の一部に押されて経過的に弾性変形し、取付具が家具本体に取り付けられる取付位置で元の形状に復元して前記家具本体に設けた第１の嵌合凹部に上下方向に係り合うものであることが望ましい。
【００１１】
前記第１の嵌合凹部を家具本体の前面側に取り付ける前扉を開閉可能に支持する蝶番部材の取り付けにも利用できるようにするには、第１の嵌合凹部が、前記側板の前後両端部側に設けてあることが望ましい。
【００１２】
簡単な加工により前記第１の嵌合凹部を構成するには、第１の嵌合凹部が、開口であることが望ましい。
【００１３】
好適な実施の形態としては、第２の係り合い手段が、前記背板に設けた第２の嵌合凸部に嵌合する第２の嵌合凹部を具備してなり、前記所定取付位置において、前記第２の嵌合凹部を構成する巾方向に対をなして位置する面部と、これら面部と対面する位置にある前記第２の嵌合凸部の面部とが、それぞれ密着するように設定していることが望ましい。
【００１４】
取付作業の容易性と、所定取付位置での安定且つ確実な取付状態を確保するには、第２の係り合い手段が、前記第２の嵌合凹部の入口側に、当該嵌合凹部の開口巾寸法が入口側に向かうにつれて漸次大きくなるように設定した案内面部と、この案内面部と巾方向において対向する位置に、前記第２の嵌合凸部を第２の嵌合凹部に挿入する際に、前記嵌合凸部に押されて経過的に弾性変形し、前記所定取付位置で、背板の一部と係り合って前記取付具が背板から外れることを防止する第２の弾性爪を具備していることが望ましい。
【００１５】
前記背板に特別な部品を追加することなく、簡単な加工により嵌合凸部を構成するには、第２の嵌合凸部が、背板の面板部の巾方向に位置する両縁部を一体に折り曲げることにより構成されていることが望ましい。
【００１６】
【発明の実施の形態】
以下、本発明の一実施の形態について、図面を参照して説明する。なお、図２及び図３は、家具Ａを後方から見た場合の分解斜視図である。
【００１７】
この家具Ａは、保管庫等として利用されるものであり、図１及び図２に示すように、左右の側板１１と、底板１２及び頂板１３とから構成される正面視略ロ字形状の家具本体１と、この家具本体１の後方側の開口を閉止する位置に取り付けられる背板２と、前記家具本体１の前方側の開口を閉止する位置に蝶番部材（図示せず）を利用して開閉可能に取り付けられる前扉３とを具備してなる。これら左右の側板１１、底板１２、頂板１３、背板２及び前扉３は、全て板金素材を折曲成形することにより構成されている。また、前記家具本体１は、巾方向に対をなして配置された左右の側板１１の上下端部にそれぞれ適宜の手段で頂板１３及び底板１２を取り付けることにより構成されている。なお、この家具Ａは、内部に収納空間Ｓを有しており、この収納空間Ｓを上下方向に仕切る位置に複数の仕切板Ｔが適宜の手段で取り付けてある。
【００１８】
このような構成のものにおいて、本実施の形態では、図２に示すように、前記背板２を家具本体１に取り付ける際に、家具本体１及び背板２のそれぞれに部材の弾性変形を利用して係り合う取付具４を利用するようにし、この取付具４が、前記背板２が家具本体１に取り付けられる所定取付位置で、前記家具本体１及び背板２に対する巾方向のがたつきを禁止された状態で係り合うものである。
【００１９】
以下、前記取付具４を係り合わせる前記家具本体１の左右の側板１１、背板２及び取付具４の具体的な形状について詳述する。
【００２０】
側板１１は、図３及び図４に示すように、面板部１１１ａと、この面板部１１１ａの前後縁を内方に向かって略Ｌ字状に一体に折り曲げることによって構成した前後端面部１１１ｂとから構成される側板本体１１１と、前記面板部１１１ａの内面側において前記前後端面１１１ｂから若干内方にはいった位置に溶接等の適宜の手段で取り付けた平面視略コ字形状の前後補強材１１２とを具備している。そして、後補強材１１２の後向面１１２ａに、前記取付具４を係り合わせるための第１の嵌合凹部たる角孔状の開口５を上下方向複数箇所に設けている。なお、本実施の形態では、前補強材１１２の前向面（図示せず）にも、同形状の開口５を設けており、この開口５を前記前扉３を開閉可能に支持する蝶番部材（図示せず）を取り付けるために利用するようにしている。
【００２１】
背板２は、面板部２１の上下縁及び左右側縁を内方に向かって略外向きコ字形状となるように折り曲げることによって構成された略矩形状のものである。そして、前記面板部２１の左右側縁を平面視略コ字形状となるように折り曲げた部分を、前記取付具４に係り合わせるための第２の嵌合凸部たる突出部６としている。
【００２２】
取付具４は、合成樹脂製のもので、前記所定取付位置において、家具本体１に対する巾方向のがたつきを防止した状態で前記左右の側板１１と係り合う第１の係り合い手段７と、背板２に対する巾方向のがたつきを防止した状態で当該背板２と係り合う第２の係り合い手段８とを具備している。なお、これら第１、第２の係り合い手段７、８は、左右巾方向に対してがたつきを禁止した状態で密接に係り合うが、上下方向には、若干の移動を許容した状態で係り合うように構成されている。このように、上下方向に若干のがたつきを生じても、本体強度には、殆ど影響を与えないものである。
【００２３】
第１の係り合い手段７は、前記左右の側板１１に設けた前記開口５に嵌合する第１の嵌合凸部７１と、取付位置で前記開口５の上下開口縁５１、５２と係り合って前記取付具４が家具本体１から外れることを防止する第１の弾性爪７２とを具備してなる。
【００２４】
第１の嵌合凸部７１は、左右起立壁７１１と上下壁７１２とにより構成される正面視略ロ字形状の筒状のものである。前記左右起立壁７１１は、前記所定取付位置で、その外面７１１ａが前記開口５の左右開口端面５ｃ、５ｄと密着して当たるように、その離間距離及び厚みを寸法設定してある。
【００２５】
第１の弾性爪７２は、前記第１の嵌合凸部７１の上下壁７１２に設けてあり、前記第１の嵌合凸部７１を前記開口５内に挿入する際に、図５中実線で示すように、上下開口端面５ａ、５ｂに押されて内方に向かって経過的に弾性変形し、取付具４を側板１１に取り付けた取付位置で、図５中想像線で示すように、元の形状に復元して、前記開口５の上下開口縁５１、５２と係り合うものである。この第１の弾性爪７２は、上下開口縁５１、５２との係り合いを解除するための操作端７２ａを具備してなり、この操作端７２ａを外方から操作し得る位置に設けている
第２の係り合い手段８は、前記背板２に設けた突出部６と嵌合する第２の嵌合凹部８１と、前記第２の嵌合凹部８１の入口側に、当該嵌合凹部８１の開口巾寸法が入口側に向かうにつれて漸次大きくなるように傾斜する案内面部８２と、この案内面部８２と巾方向において対向する位置に、前記突出部６を第２の嵌合凹部８１に挿入する際に、前記突出部６に押されて経過的に弾性変形し、前記所定取付位置で、前記突出部６の対応位置に設けた切欠９の前開口縁９ａと係り合って前記取付具４が背板２から外れることを防止する第２の弾性爪８３とを具備している。
【００２６】
第２の嵌合凹部８１は、前記第１の嵌合凸部７１の後端部側に位置し該嵌合凸部７１の上下寸法及び左右巾寸法よりもそれら寸法を若干大きく設定された正面視略矩形状の基板８１１と、この基板８１１の外方端側から後方に向かって突出した外側壁８１２と、この外側壁８１２と対向する位置に前記基板８１１の内方端側から突出した内側壁８１３とにより構成され、前記所定取付位置において、巾方向に対をなして位置する内側壁８１３及び外側壁８１２の内面８１３ａ、８１２ａと、前記突出部６の内外側面６ａ、６ｂとが、それぞれ密着するように設定している。前記基板８１１には、前記第１の弾性爪７２の操作端７２ａを外部に表出するための開口窓８１１ａが設けてある。なお、前記案内面部８２は、前記外側壁８１２の後端部側に設けてあり、前記第２の弾性爪８３は、前記内側壁８１３の後端部側に設けてある。また、この第２の弾性爪８３は、前記第１の弾性爪７２とその係り合い方向が直交しているので、背板２を家具本体１に確実且つ安定的に取り付けることが可能となる。さらに、図４に示すように、前記所定取付位置では、突出部６の外側面６ｂと、この外側面６ｂと対向する側板１１の内面１１ａとに、これらの間に介在する取付具４の外側壁８１２の内外面が密着して位置するので、家具本体１に対する背板２の左右巾方向へのがたつきをさらに確実に防止することが可能となる。
【００２７】
このような構成のものにおいて、前記家具本体１に取付具４を介して背板２を取り付ける際の手順について説明する。
【００２８】
先ず、前記取付具４を家具本体１の左右の側板１１に取り付ける際の手順について説明する。前記左右の側板１１の開口５に、前記取付具４の前記第１の嵌合凸部７１を弾性変形させながら圧入する。その際、前記第１の弾性爪７２は、図５中実線で示すように、前記開口５の上下開口端面５ａ、５ｂに押されて経過的に内方に向かって弾性変形し、前記第１の嵌合凸部７１の左右側壁７１１の外面７１１ａが、前記開口５の左右開口端面５ｃ、５ｄに密着して嵌合する図４に示す取付位置で前記上下開口縁５１、５２と係り合って取付具４が前記開口５から抜け出ることを禁止する。一方、廃棄時等、合成樹脂製の取付具４と板金製の側板１１とを分別する場合には、前記第１の弾性爪７２の操作端７２ａを外方から操作することにより前記第１の弾性爪７２と上下開口縁５１、５２との係り合いを解除して取り外すようにする。この取付具４は、予め左右の側板１１に取り付けた状態で工場からオフィス等の使用現場へと搬入され、使用現場では、先ず、これら左右の側板１１と、底板１２及び頂板１３を適宜の手段で連結して家具本体１を構成するようにしている。このように、本実施の形態では、取付具４を側板１１の前後端面１１１ｂから若干内方に位置する前後補強材１１２の前後向面１１２ａに、前記前後端面１１１ｂから飛び出さないように取り付けているので、搬入時に、側板１１や背板２をそれぞれ積み重ねてコンパクトな状態で搬入することが可能である。
【００２９】
次に、この家具本体１に、背板２を取り付ける場合の手順について説明する。
【００３０】
この場合には、前記背板２の突出部６を前記第２の嵌合凹部８１に後方から近づけて挿入していく。この時に、図６に示すように、前記突出部６の外側面６ｂを前記案内面部８２上を巾方向へ滑らせるようにするとともに、前記突出部６の内側面６ａで第２の弾性爪８３を押しながら挿入していくと、この第２の弾性爪８３が、前記突出部６に押されて経過的に前記案内面部８２と離間する方向へ弾性変形する。そして、図４に示す前記所定取付位置で、第２の嵌合凹部８１を構成する内外側壁８１３、８１２の内面８１３ａ、８１２ａと、前記突出部６の内外側面６ａ、６ｂが密着して嵌合し、前記第２の弾性爪８３が突出部６側に設けた切欠９の前開口縁９ａと係り合って背板２が家具本体１に取り付けられる。さらに、図４に示すように、前記所定取付位置では、突出部６の外側面６ｂと、この外側面６ｂと対向する側板１１の内面１１ａとに、これらの間に介在する取付具４の外側壁８１２の内外面が密着して位置するので、家具本体１に対する背板２の左右巾方向へのがたつきをさらに確実に防止することが可能となる。
【００３１】
このような構成のものであると、取付具４の弾性変形を利用して前記背板２を左右の側板１１間に取り付けるので、背板２の取り付けに際してドライバー等の取付工具が不要となる上、取付作業も非常に簡単なものとすることができる。そして、この取付具４を家具本体１及び背板２の両方に対して巾方向にがたつきを生じることを禁止した状態で取り付けているので、結果的に、家具本体１と背板２とが巾方向にがたつきを生じることを禁止されることになる。したがって、家具本体１に所定の取付強度を確保して、特に、側板１１が巾方向に傾斜して家具本体１が平行四辺形状に変形することを有効に防止することが可能となる。
【００３２】
第１の係り合い手段７が、前記家具本体１に設けた開口５に嵌合する第１の嵌合凸部７１を具備してなり、前記所定取付位置において、前記第１の嵌合凸部７１を構成する巾方向に対をなして位置する左右側壁７１１の外面７１１ａと、これら外面７１１ａと対面する位置にある前記開口５の左右開口端面５ｃ、５ｄとが、それぞれ密着するように設定しているので、簡単な構造で確実に家具本体１と取付具４間に生じる巾方向のがたつきを防止することができる。
【００３３】
第１の係り合い手段７が、前記開口５の上下開口縁５１、５２と係り合って前記取付具４が側板１１から外れることを防止する第１の弾性爪７２を具備してなり、この第１の弾性爪７２が、前記第１の嵌合凸部７１を前記開口５に挿入する際に前記開口５の上下開口端面５ａ、５ｂに押されて経過的に弾性変形し、取付具４が側板１１に取り付けられる取付位置で元の形状に復元して前記上下開口縁５１、５２と係り合うものであるならば、前記所定取付位置での安定且つ確実な取付状態を確保することが可能となる。
【００３４】
第１の弾性爪７２が、側板１１との係り合いを解除するための操作端７２ａを具備してなり、この操作端７２ａを外方から操作し得る位置に設けているので、取付具４を側板１１から簡単に取り外すことができ、廃棄時等の分別作業を行うことが容易となる。
【００３５】
開口５が、前記側板１１の前後両端部側に設けてあるので、前端部側に設けた開口５を利用して蝶番部材を取り付ける等して家具本体１の前端部側に前扉３を開閉可能に設ける等、この開口５を取付具４の取り付けと蝶番部材の取り付けに共用することが可能となる。特に、本実施の形態では、前補強材１１２と後補強材１１２とを同じものにして、製造工程及び製造コストの低減化を図ることが可能となる。
【００３６】
第１の嵌合凹部が、開口５であるので、単純な孔あけ加工により前記第１の嵌合凹部を構成することができ、製造工程及び製造コストの低減化を図ることが可能となる。
【００３７】
第２の係り合い手段８が、前記背板２に設けた突出部６に嵌合する第２の嵌合凹部８１を具備してなり、前記所定取付位置において、前記第２の嵌合凹部８１を構成する巾方向に対をなして位置する内外側壁８１３、８１２の内面８１３ａ、８１２ａと、前記突出部６の内外側面６ａ、６ｂとが、それぞれ密着するように設定しているので、簡単な構造で確実に背板２と取付具４間に生じる巾方向のがたつきを防止することができる。
【００３８】
第２の係り合い手段８が、前記第２の嵌合凹部８１の入口側に、当該嵌合凹部８１の開口巾寸法が入口側に向かうにつれて漸次大きくなるように設定した案内面部８２と、この案内面部８２と巾方向において対向する位置に、前記突出部６を第２の嵌合凹部８１に挿入する際に、前記突出部６に押されて経過的に弾性変形し、前記所定取付位置で、突出部６に設けた切欠９と係り合って前記取付具４が背板２から外れることを防止する第２の弾性爪８３を具備しているので、取付作業の容易性と、前記所定取付位置での安定且つ確実な取付状態を確保することが可能となる。
【００３９】
突出部６が、背板２の面板部２１の巾方向に位置する左右両縁部を一体に折り曲げることにより構成されているので、前記背板２に特別な部品を追加することなく、簡単な加工により嵌合凸部を構成することが可能となる。
【００４０】
なお、本発明における構成は、以上説明したものに限定されないのは勿論である。最終的に背板２を家具本体１に取り付けた所定取付位置で取付具４が家具本体１及び背板２に対する巾方向のがたつきを禁止された状態で係り合うように寸法設定しておくようにすれば、例えば、挿入し易さを図るべく、前記開口５の開口巾寸法を前記第１の嵌合凸部７１の巾寸法よりも僅かに大きく設定する等しておいてもよい。その他の構成も、本発明の趣旨を逸脱しない範囲で種々変形が可能である。
【００４１】
【発明の効果】
本発明は、以上説明したような構成で実施され以下に記載されるような効果を奏する。
【００４２】
すなわち、本発明は、家具本体に背板を取り付けるための背板の取付構造であって、前記家具本体及び背板のそれぞれと部材の弾性変形を利用して係り合う取付具を利用するものであり、この取付具が、前記所定取付位置で、前記家具本体及び背板に対する巾方向のがたつきを禁止された状態で前記家具本体及び背板と係り合うようにしているので、取付作業の容易性と取付強度の確保を両立させることが可能となる。
【００４３】
取付具が、前記所定取付位置で、前記家具本体に対する巾方向のがたつきを禁止された状態で当該家具本体と係り合う第１の係り合い手段と、前記背板に対する巾方向のがたつきを禁止された状態で当該背板と係り合う第２の係り合い手段とを具備しているならば、確実に家具本体と背板間に生じる巾方向のがたつきを防止して取付強度を確保することが可能となる。
【００４４】
第１の係り合い手段が、前記家具本体に設けた第１の嵌合凹部に嵌合する第１の嵌合凸部を具備してなり、前記所定取付位置において、前記第１の嵌合凸部を構成する巾方向に対をなして位置する面部と、これら面部と対面する位置にある前記第１の嵌合凹部の面部とが、それぞれ密着するように設定しているならば、簡単な構造で確実に家具本体と取付具間に生じる巾方向のがたつきを防止することができる。
【００４５】
第１の係り合い手段が、前記家具本体と係り合って前記取付具が家具本体から外れることを防止する第１の弾性爪を具備してなり、この第１の弾性爪が、前記第１の嵌合凸部を前記第１の嵌合凹部に挿入する際に前記家具本体の一部に押されて経過的に弾性変形し、取付具が家具本体に取り付けられる取付位置で元の形状に復元して前記家具本体と係り合うものであるならば、前記所定取付位置での安定且つ確実な取付状態を確保することが可能となる。
【００４６】
第１の弾性爪が、家具本体との係り合いを解除するための操作端を具備してなり、この操作端を外方から操作し得る位置に設けているならば、取付具を家具本体から簡単に取り外すことができ、廃棄時等の分別作業を行うことが容易となる。
【００４７】
第１の嵌合凹部が、前記側板の前後両端部側に設けてあるならば、前端部側に設けた嵌合凹部を利用して蝶番部材を取り付けて前扉を開閉可能に設けること等が可能となり、この第１の嵌合凹部を取付具の取り付けと蝶番部材の取り付けに共用することが可能となる。
【００４８】
第１の嵌合凹部が、開口であるならば、単純な孔あけ加工により前記第１の嵌合凹部を構成することができるので、製造工程及び製造コストの低減化を図ることが可能となる。
【００４９】
第２の係り合い手段が、前記背板に設けた第２の嵌合凸部に嵌合する第２の嵌合凹部を具備してなり、前記所定取付位置において、前記第２の嵌合凹部を構成する巾方向に対をなして位置する面部と、これら面部と対面する位置にある前記第２の嵌合凸部の面部とが、それぞれ密着するように設定しているならば、簡単な構造で確実に背板と取付具間に生じる巾方向のがたつきを防止することができる。
【００５０】
第２の係り合い手段が、前記第２の嵌合凹部の入口側に、当該嵌合凹部の開口巾寸法が入口側に向かうにつれて漸次大きくなるように設定した案内面部と、この案内面部と巾方向において対向する位置に、前記第２の嵌合凸部を第２の嵌合凹部に挿入する際に、前記嵌合凸部に押されて経過的に弾性変形し、前記所定取付位置で、背板の一部と係り合って前記取付具が背板から外れることを防止する第２の弾性爪を具備しているならば、取付作業の容易性と、前記所定取付位置での安定且つ確実な取付状態を確保することが可能となる。
【００５１】
第２の嵌合凸部が、背板の面板部の巾方向に位置する両縁部を一体に折り曲げることにより構成されているならば、前記背板に特別な部品を追加することなく、簡単な加工により嵌合凸部を構成することが可能となる。
【図面の簡単な説明】
【図１】  本発明の一実施の形態を示す全体斜視図。
【図２】  同家具を後方から見た分解斜視図。
【図３】  同一部を破断した状態の要部を示す分解斜視図。
【図４】  同要部を示す平断面図。
【図５】  同作用説明図。
【図６】  同作用説明図。
【符号の説明】
１…家具本体
１１…側板
２…背板
４…取付具
５…第１の嵌合凹部（開口）
６…第２の嵌合凸部（突出部）
７…第１の係り合い手段
７１…第１の嵌合凸部
７２…第１の弾性爪
７２ａ…操作端
８…第２の係り合い手段
８１…第２の嵌合凹部
８２…案内面部
８３…第２の弾性爪
Ａ…家具
【図１】
0004117698.tif 000002
【図２】
0004117698.tif 000003
【図３】
0004117698.tif 000004
【図４】
0004117698.tif 000005
【図５】
0004117698.tif 000006
【図６】
0004117698.tif 000007